(57)【要約】【課題】各被写体の画像のぶれを検出し、各被写体のぶれの状態を示す表示を表示させることで、撮像画像全体の様子を簡単に確認することができる。【解決手段】  撮影機器は、被写体を撮像し撮像画像を得る撮像部と、上記撮像画像を表示する表示部と、上記撮像画像の記録前に上記撮像画像中の１つ以上の画像部分の第１のコントラストを求めると共に、記録した上記撮像画像の上記１つ以上の画像部分の第２のコントラストを求めるコントラスト判定部と、上記第１のコントラストと上記第２のコントラストとの比較によって、上記１つ以上の画像部分のぶれを判定するぶれ判定部と、上記ぶれ判定部による上記１つ以上の画像部分についてのぶれの判定結果に基づく表示を上記撮像画像の表示中に表示する表示制御部とを具備する。【選択図】図１
2015061129.tif 000002
【特許請求の範囲】
【請求項１】
被写体を撮像し撮像画像を得る撮像部と、
上記撮像画像を表示する表示部と、
上記撮像画像の記録前に上記撮像画像中の１つ以上の画像部分の第１のコントラストを求めると共に、記録した上記撮像画像の上記１つ以上の画像部分の第２のコントラストを求めるコントラスト判定部と、
上記第１のコントラストと上記第２のコントラストとの比較によって、上記１つ以上の画像部分のぶれを判定するぶれ判定部と、
上記ぶれ判定部による上記１つ以上の画像部分についてのぶれの判定結果に基づく表示を上記撮像画像の表示中に表示する表示制御部と
を具備したことを特徴とする撮影機器。
【請求項２】
上記ぶれ判定部は、上記１つ以上の画像部分のぶれの有無及びぶれの種類を判定する
ことを特徴とする請求項１に記載の撮影機器。
【請求項３】
上記撮像部の振動を検出する振動検出部を具備し、
上記ぶれ判定部は、上記第１のコントラストと上記第２のコントラストとの比較及び上記振動検出部による振動の検出結果に基づいて、上記１つ以上の画像部分のぶれの有無及びぶれの種類を判定する
ことを特徴とする請求項１に記載の撮影機器。
【請求項４】
上記表示制御部は、上記撮像画像を表示するレックビュー表示時に上記ぶれの判定結果を表示する
ことを特徴とする請求項１乃至３のいずれか１つに記載の撮影機器。
【請求項５】
上記表示制御部は、上記撮像画像中の上記１つ以上の画像部分に対応する位置に上記ぶれの判定結果を表示する
ことを特徴とする請求項１乃至４のいずれか１つに記載の撮影機器。
【請求項６】
上記コントラスト判定部は、上記撮像画像の記録前に行う山登り方式のフォーカス制御時に上記第１のコントラストを取得する
ことを特徴とする請求項１乃至５のいずれか１つに記載の撮影機器。
【請求項７】
被写体を撮像し撮像画像を得る撮像ステップと、
上記撮像画像を表示する表示ステップと、
上記撮像画像の記録前に上記撮像画像中の１つ以上の画像部分の第１のコントラストを求めると共に、記録した上記撮像画像の上記１つ以上の画像部分の第２のコントラストを求めるコントラスト判定ステップと、
上記第１のコントラストと上記第２のコントラストとの比較によって、上記１つ以上の画像部分のぶれを判定するぶれ判定ステップと、
上記ぶれ判定部による上記１つ以上の画像部分についてのぶれの判定結果に基づく表示を上記撮像画像の表示中に表示する表示制御ステップと
を具備したことを特徴とする撮影方法。
【発明の詳細な説明】
【技術分野】
【０００１】
本発明は、コントラスト法によるオートフォーカスが可能なものに好適な撮影機器及び撮影方法に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。また、表示部にメニュー画面を表示して、撮影機器の操作を容易にしたものもある。
【０００３】
このような表示部は、携帯機器本体の背面に設けられることが多く、ユーザは撮影時に、背面の表示部に表示されたスルー画を確認しながら撮影操作をすることも可能である。また、この種の撮影機器においては、記録画像を確認するためのレックビュー機能を搭載したものがある。レックビュー機能は、撮像して記録した画像を撮像の直後において所定時間表示させるものである。ユーザは、表示部に表示されたレックビューによって撮影状態を確認することができる。
【０００４】
しかしながら、携帯機器に設けられた表示部のサイズは比較的小さく、表示された画像のサイズも小さいことから、レックビューによって撮像画像の細部まで確認することは容易ではない。このため、撮像画像にぶれが生じている場合等、ユーザが意図していない撮影が行われたとしても、レックビューによって確認することができないことがある。
【０００５】
そこで、特許文献１においては、画像判定部によって撮影画像が失敗画像であるか否かを判定し、失敗画像の部分領域を拡大表示する技術が開示されている。
【先行技術文献】
【特許文献】
【０００６】
【特許文献１】特開２００８−９２２９９号公報
【発明の概要】
【発明が解決しようとする課題】
【０００７】
しかしながら、特許文献１の提案においては、失敗部分の拡大表示によって失敗部分を確認するようになっており、成功部分や失敗部分を含む撮像画像全体の様子を一目で確認することができないという問題があった。
【０００８】
本発明は、各被写体の画像のぶれを検出し、各被写体のぶれの状態を示す表示を表示させることで、撮像画像全体の様子を簡単に確認することができる撮影機器及び撮影方法を提供することを目的とする。
【課題を解決するための手段】
【０００９】
本発明に係る撮影機器は、被写体を撮像し撮像画像を得る撮像部と、上記撮像画像を表示する表示部と、上記撮像画像の記録前に上記撮像画像中の１つ以上の画像部分の第１のコントラストを求めると共に、記録した上記撮像画像の上記１つ以上の画像部分の第２のコントラストを求めるコントラスト判定部と、上記第１のコントラストと上記第２のコントラストとの比較によって、上記１つ以上の画像部分のぶれを判定するぶれ判定部と、上記ぶれ判定部による上記１つ以上の画像部分についてのぶれの判定結果に基づく表示を上記撮像画像の表示中に表示する表示制御部とを具備する。
また、本発明に係る撮影方法は、被写体を撮像し撮像画像を得る撮像ステップと、上記撮像画像を表示する表示ステップと、上記撮像画像の記録前に上記撮像画像中の１つ以上の画像部分の第１のコントラストを求めると共に、記録した上記撮像画像の上記１つ以上の画像部分の第２のコントラストを求めるコントラスト判定ステップと、上記第１のコントラストと上記第２のコントラストとの比較によって、上記１つ以上の画像部分のぶれを判定するぶれ判定ステップと、上記ぶれ判定部による上記１つ以上の画像部分についてのぶれの判定結果に基づく表示を上記撮像画像の表示中に表示する表示制御ステップとを具備する。
【発明の効果】
【００１０】
本発明によれば、各被写体の画像のぶれを検出し、各被写体のぶれの状態を示す表示を表示させることで、撮像画像全体の様子を簡単に確認することができるという効果を有する。
【図面の簡単な説明】
【００１１】
【図１】本発明の第１の実施の形態に係る撮影機器を示すブロック図。
【図２】撮影時のぶれを説明するための説明図。
【図３】カメラ制御を説明するためのフローチャート。
【図４】ぶれ判定を説明するための説明図。
【図５】ぶれ判定を説明するための説明図。
【図６】ぶれ判定の表示例を示す説明図。
【図７】発明の第２の実施の形態に採用されるフローチャート。
【図８】第２の実施の形態におけるレックビュー表示の表示例を示す説明図。
【発明を実施するための形態】
【００１２】
以下、図面を参照して本発明の実施の形態について詳細に説明する。
【００１３】
（第１の実施の形態）
図１は本発明の第１の実施の形態に係る撮影機器を示すブロック図である。本実施の形態は、コントラスト判定によって画像のぶれを検出することで、ユーザに各被写体のぶれの様子を提示することを可能にしたものである。
【００１４】
本実施の形態における撮影機器１は、本体部１０及び交換レンズ２０によって構成されている。本体部１０は、撮影機器１の主要な回路部分が収納されており、前面に交換レンズ２０が着脱自在に取り付けられている。
【００１５】
交換レンズ２０は、本体部１０の撮像部１２に被写体像を導く光学系２１を有している。光学系２１は、物体側から撮像部１２の撮像面（像面）に至る光軸上に図示しない複数のレンズが配置されて構成される。即ち、光学系２１中には、ピント合わせによりフォーカス（合焦）状態に設定するために可動されるフォーカスレンズ及びフォーカス状態で変倍するズームレンズを有する。また、光学系２１は、これらのレンズ及び絞りを駆動する図示しない機構部を有する。
【００１６】
駆動部２４は光学系２１の機構部を制御して、これらのフォーカスレンズ、ズームレンズ及び絞りを駆動制御するようになっている。なお、絞りは、例えば、光学系２１の所定のレンズ相互間に配置される。
【００１７】
交換レンズ２０には、ユーザによる撮影に関するパラメータ、例えば、ズームや絞りに関するパラメータの設定操作のために、図示しない操作リング等の操作部が設けられており、操作検出部２７は、この操作部に対するユーザ操作を検出して検出結果を制御部２３に出力するようになっている。制御部２３は、マイコン等によって構成されており、操作検出部２７の検出結果と後述する本体部１０の信号処理及び制御部１１からの信号とに基づいて、交換レンズ２０の各部を制御する。
【００１８】
制御部２３の駆動制御部２３ａは、操作検出部２７の検出結果と信号処理及び制御部１１の制御とに従って各種制御信号を発生する。例えば、駆動制御部２３ａは、フォーカス信号、ズーム信号及び絞り制御信号を発生して、駆動部２４を制御する。駆動部２４は、フォーカス信号に基づいてフォーカスレンズを駆動制御し、ズーム信号に基づいてズームレンズを駆動制御し、絞り制御信号に基づいて絞りを駆動制御する。
【００１９】
状態判定部２５は、ズームレンズ、フォーカスレンズのレンズ位置を判定してレンズ状態を示す信号を制御部２３に出力すると共に、絞り量を判定して絞り状態を示す信号を制御部２３に出力する。制御部２３は、ピント位置、ズーム位置及び絞り量の判定結果を用いて、操作検出部２７の検出結果や信号処理及び制御部１１からの制御信号に応じたピント位置、ズーム位置、絞り量となるように、駆動部２４を制御する。
【００２０】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、記録部２９に格納したレンズ固有の情報及びズーム操作に関する情報、ピント位置、絞り状態等の情報をレンズ情報として通信部２８，１３によって本体部１０に送信させることができる。
【００２１】
本体部１０は、レンズ情報により、交換レンズ２０がどのようなズーム機能を有しているか、ズームレンズの焦点距離範囲（倍率）、焦点距離、最短焦点距離、無限遠距離、明るさナンバー等を認識することができる。また、制御部２３は、操作検出部２７の検出結果の情報も本体部１０に送信するようになっている。
【００２２】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮像画像を出力する。
【００２３】
信号処理及び制御部１１は、例えばＣＰＵ等によって構成されて撮影機器１の各部を制御する。信号処理及び制御部１１は、撮像部１２に撮像素子の駆動信号を出力すると共に、撮像部１２からの撮像画像を読み出す。信号処理及び制御部１１は、読み出した撮像画像に対して、所定の信号処理、例えば、色調整処理、マトリックス変換処理、ノイズ除去処理、その他各種の信号処理を行う。
【００２４】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００２５】
信号処理及び制御部１１は、撮像画像の記録及び再生に関する処理を行うことができる。例えば、信号処理及び制御部１１は、信号処理後の撮影画像を圧縮処理し、圧縮後の画像を記録部１９に与えて記録させることができる。記録部１９としては、例えばカードインターフェースを採用することができ、記録部１９はメモリカード等の記録媒体に画像情報及び音声情報等を記録可能である。本実施の形態において、記録部１９には、後述する各画像部分のコントラストを記述したテーブル１９ａが記録されるようになっている。
【００２６】
信号処理及び制御部１１の表示制御部１１ａは表示に関する各種処理を実行する。表示制御部１１ａは、信号処理後の撮影画像を表示部１７及び接眼表示部１８に与えることができる。表示部１７及び接眼表示部１８は、ＬＣＤ等の表示画面を有しており、表示制御部１１ａから与えられた画像を表示する。また、表示制御部１１ａは、各種メニュー表示等を表示部１７及び接眼表示部１８の表示画面に表示させることもできるようになっている。
【００２７】
また、本体部１０には、ユーザが目を接眼表示部１８に近接させたことを検出するアイセンサ１８ａが設けられている。アイセンサ１８ａの検出結果によって、信号処理及び制御部１１は、ユーザが目を接眼表示部１８に近接させたか否かを判定することができるようになっている。
【００２８】
信号処理及び制御部１１は、記録部１９に記録されている撮像画像を読み出して伸張処理することができる。表示制御部１１ａは伸張処理された撮像画像を表示部１７や接眼表示部１８に与えることで、記録画像の再生が可能である。
【００２９】
表示部１７は、後述するように、撮像画像を表示する表示画面１７ｂを有している。また、表示画面１７ｂ上には、タッチパネル１７ａが設けられている。タッチパネル１７ａは、ユーザが指で指し示した表示画面１７ｂ上の位置に応じた操作信号を発生することができる。この操作信号は、信号処理及び制御部１１に供給される。これにより、信号処理及び制御部１１は、ユーザが表示画面１７ｂ上をタッチしたりスライドさせたりした場合には、ユーザのタッチ位置、指を閉じ離間させる操作（ピンチ操作）、スライド操作やスライド操作によって到達した位置、スライド方向、タッチしている期間等の各種操作を検出することができ、ユーザ操作に対応した処理を実行することができるようになっている。
【００３０】
なお、表示部１７は、本体部１０の例えば背面の略全域を占めるように配設されており、撮影者は、撮影時に表示部１７の表示画面１７ｂ上に表示されたスルー画を確認することができ、スルー画を確認しながら撮影操作を行うこともできる。
【００３１】
本体部１０には、振動判定部１６が設けられている。振動判定部１６は、ジャイロセンサ、加速度センサ等によって構成されており、本体部１０を収納する筐体のぶれや振動を検出することができるようになっている。振動判定部１６の判定結果は信号処理及び制御部１１に与えられる。
【００３２】
また、本体部１０には、手ブレ補正部１２ａが設けられている。手ブレ補正部１２ａは、信号処理及び制御部１１に制御されて、手ブレの状態に応じて撮像部１２を制御することにより、撮像部１２から手ブレの影響を除去した撮像画像を出力させるようになっている。
【００３３】
本実施の形態においては、画像中のぶれを検出して、ユーザにぶれが生じている部分を示すようになっている。更に、本実施の形態においては、画像中のぶれが生じている部分だけでなく、ぶれが生じていない部分についても検出し、撮像画像の各部のぶれの状態を一目で分かるように表示するようになっている。例えば動く被写体を撮像する場合において、撮像画像中の複数の被写体の一部の被写体にぶれが生じている場合がある。撮像画像を背面表示部１７に表示させたとしても、ユーザがぶれに気付かないことも考えられる。
【００３４】
図２は撮影時のぶれを説明するための説明図である。図２（ａ）はユーザ３０がダンスを踊る２人の人物３１，３２を撮影する様子を示している。ユーザ３０は右手で本体部１０を収納する筐体１０ａを保持し、２人の人物３１，３２を撮影範囲に収めた状態でシャッタボタン（図示せず）を押下する。図２（ｂ）〜（ｄ）はこの場合において表示部１７の表示画面１７ｂ上に表示された撮像画像４３〜４５の例を示している。図２（ｂ）は例えば撮影時の手ぶれによって、被写体である２人の人物３１，３２の両方の画像３１ａ，３２ａにぶれが生じていることを示している。図２（ｃ）に示す撮像画像４４は、手ぶれは生じていないが、２人の人物３１，３２の画像３１ｂ，３２ｂのうちの一方の画像３２ｂに人物３２の動きによってぶれが生じたことを示している。また、図２（ｄ）に示す画像４５は、２人の人物３１，３２の画像３１ｃ，３２ｃのいずれにもぶれが生じていないことを示している。
【００３５】
このように、被写体の動きや撮影者の手ぶれ等の理由から被写体のうちの一部又は全部にぶれが生じることがある。このようなぶれは、比較的小さい表示部１７の表示画面１７ｂでは確認することができないことがある。
【００３６】
この場合においても、本実施の形態においては、撮像画像の各部のぶれの状態を表示することができるので、ユーザは簡単に撮像画像中のぶれた被写体、ぶれていない被写体を認識することができる。ぶれて欲しくない被写体にぶれが生じていなければ、他の被写体にぶれが生じていたとしても、ユーザは撮像画像に満足する可能性もあり、各部のぶれの状態を一目で確認することができることによって、撮影のやり直し等の判断が容易となる。
【００３７】
撮像画像のこのようなぶれの検出のために、本実施の形態においては、信号処理及び制御部１１は、顔検出部１１ｂ、コントラスト判定記録部１１ｃ、ぶれ判定部１１ｄ及びレックビュー制御部１１ｅを有している。
【００３８】
顔検出部１１ｂは、撮像画像に対する公知の手法によって、撮像画像から顔検出処理を行う。例えば、顔検出部１１ｂは、顔の明るさの特徴をモデル化した複数の濃淡画像と撮影画像とを順次比較することで、人物の顔を検出することもできる。また、顔検出部１１ｂは、人物の顔だけでなく、人物の体全体を検出することも可能である。更に、顔検出部１１ｂは、例えばパターン判定により、ペットや特定の物体の被写体又はその一部等の領域を検出することも可能である。
【００３９】
コントラスト判定記録部１１ｃは、ピント位置を変化させながら撮像画像の各部のコントラストを判定する。例えば、コントラスト判定記録部１１ｃは、撮像画像を複数の領域に分割し、分割した各部のコントラストを判定してもよく、また顔検出部１１ｂによって検出された顔等の位置におけるコントラストを判定するようにしてもよい。コントラスト判定記録部１１ｃは、求めた各部のコントラストを記述したテーブル１９ａを記録部１９に記録する。
【００４０】
例えば、コントラスト判定記録部１１ｃは、いわゆる山登り方式のオートフォーカスによって各部毎に求められたコントラストを記録するようにしてもよい。コントラスト判定記録部１１ｃによるコントラストの判定及び記録は、例えば実際の撮影の直前に行われる。
【００４１】
ぶれ判定部１１ｄは、実際の撮影時において、コントラスト判定記録部１１ｃから撮影されて記録された撮像画像の各部のコントラストが与えられる。また、ぶれ判定部１１ｄは、記録部１９に記録されたテーブル１９ａの情報を読み出す。ぶれ判定部１１ｄは、実際の撮影時における各部のコントラストとテーブル１９ａに記述されている各部のコントラストとを撮像画像の対応する画像部分（被写体）毎に比較することで、撮像画像の各画像部分（被写体）毎にぶれが生じているか否かを判定し、判定結果をレックビュー制御部１１ｅに出力する。例えば、ぶれ判定部１１ｄは、実際の撮影時におけるコントラストがテーブル１９ａに記述されているコントラストよりも小さい場合には、ぶれが生じているものと判定する。
【００４２】
レックビュー制御部１１ｅは、表示制御部１１ａを制御することで、撮影直後において信号処理及び制御部１１によって撮像部２から取り込まれて画像処理された撮像画像を、レックビュー画像として接眼表示部１８又は背面表示部１７の表示画面上に表示させるレックビュー表示を行う。本実施の形態においては、レックビュー制御部１１ｅは、ぶれ判定部１１ｄから撮像画像の各部についてのぶれの有無の判定結果が与えられ、レックビュー表示上における各部の位置に、ぶれの有無の判定結果を表示させるようになっている。
【００４３】
次に、このように構成された実施の形態の動作について図３乃至図６を参照して説明する。図３はカメラ制御を説明するためのフローチャートであり、図４及び図５はぶれ判定を説明するための説明図であり、図６はぶれ判定の表示例を示す説明図である。
【００４４】
撮影機器１の電源が投入されると、信号処理及び制御部１１は、図３のステップＳ１において、撮影モードが指示されたか否かを判定する。撮影モードが指示されていない場合には、信号処理及び制御部１１は、ステップＳ２において、再生モードが指示されたか否かを判定する。再生モードが指示されると、信号処理及び制御部１１は、ステップＳ３において、サムネイルの一覧表示を行う。サムネイル一覧を参照したユーザによる画像の選択が行われると、ステップＳ４からステップＳ５に処理を移行して、信号処理及び制御部１１は選択画像の再生を行う。再生が終了すると（ステップＳ６）、ファイル一覧表示を繰り返す。ファイル選択が行われない場合には、ステップＳ７において再生モードの終了を判定する。
【００４５】
一方、撮影モードが指示されると、信号処理及び制御部１１は、ステップＳ１１において、撮像部１２からの画像信号に基づいて、表示部１７に撮像画像（スルー画）をライブビュー表示させる。信号処理及び制御部１１は、ステップＳ１２において、顔検出処理、ピント合わせ処理、コントラスト判定処理及びコントラストの記録処理を行う。
【００４６】
即ち、顔検出部１１ｂは、撮像画像中の顔を検出して検出結果をコントラスト判定記録部１１ｃに出力する。信号処理及び制御部１１は、被写体の検出結果に従って、被写体を追尾しながらピント合わせ処理（オートフォーカス処理）を行う。コントラスト判定記録部１１ｃは、このピント合わせ処理、即ち、山登り方式のオートフォーカス処理において求められた各レンズ位置におけるコントラストを撮像画像の各部毎に記録する。即ち、この場合には、コントラスト判定記録部１１ｃは、ピント合わせを行った位置、例えば検出された顔の位置におけるコントラストを判定する。各レンズ位置における顔部のコントラストによるテーブル１９ａが作成されて記録部１９に記録される。
【００４７】
ステップＳ１３では、撮影操作が行われたか否かが判定される。例えばレリーズボタン操作等によって静止画撮影が指示されると、信号処理及び制御部１１は、撮影を行う。即ち、信号処理及び制御部１１は、撮像部１２からの撮像画像に信号処理を施して圧縮した後、記録部１９に与えて記録する。また、コントラスト判定記録部１１ｃは、撮影によって得られた撮像画像の各画像部分（被写体）についてコントラストを求め、求めたコントラストを記録部１９に記録する（ステップＳ１４）。なお、撮影時まで、撮影前のコントラスト判定時の追尾状態を維持することで、同一の画像部分（被写体）についてのコントラストを簡単に求めることができる。
【００４８】
次に、信号処理及び制御部１１は、ステップＳ１５において、レックビューの表示時間を監視しながら、記録した撮像画像を表示部１７に与えてレックビュー表示させる（ステップＳ１６）。レックビューの表示開始から所定の時間が経過すると、信号処理及び制御部１１は、ステップＳ２１において電源オフ操作があったか否かを判定する。電源オフ操作があるまでは、ステップＳ１〜Ｓ２０の処理が繰り返される。電源オフ操作が行われると、信号処理及び制御部１１は、電源をオフにして処理を終了する。
【００４９】
本実施の形態においては、レックビュー表示期間において、撮像画像中にぶれのある画像が存在するか否かをユーザに提示することができる。即ち、ぶれ判定部１１ｄは、ステップＳ１７において、コントラストを求めた各部（被写体）について、ピント合わせ時に求めたコントラストの最大値（以下、最大コントラストという）より撮影時に求めたコントラスト（以下、撮影時コントラストという）が小さいか否かを判定し、小さい場合には当該画像部分にぶれが生じているものと判定する。なお、ぶれ判定部１１ｄは、撮影時コントラストが最大コントラストより小さい場合には、その差が所定の閾値よりも大きい場合にぶれが生じているものと判定するようにしてもよい。
【００５０】
図４はピント合わせ時における撮像画像を示しており、図２と同様の２人の人物３１，３２が撮像されている様子を示している。表示画面１７ｂ上に表示されたスルー画中には、人物３１，３２の画像３１ｄ，３２ｄが表示されている。図４の撮像画像から顔検出部１１ｂによって顔部３１ｅ，３２ｅが検出される。図４の撮像画像中の四角の枠４６，４７は、コントラスト判定記録部１１ｃがコントラストを判定した領域を示している。即ち、コントラスト判定記録部１１ｃは、例えば、顔部３１ｅ，３２ｅを追尾しながらコントラストを判定する。
【００５１】
図５は山登り方式のオートフォーカス時に検出されるコントラストを示している。図５（ａ）は図４の左側の人物の顔部３１ｅにおいて各レンズ位置を山登り方式で変化させた場合のコントラストの変化を示し、図５（ｂ）は図４の右側の人物の顔部３２ｅにおいて各レンズ位置を山登り方式で変化させた場合のコントラストの変化を示している。図５の例では、左右の人物はいずれの顔部３１ｅ，３２ｅも、レンズ位置Ｐ３において最も高いコントラスト（最大コントラスト）が得られている。これにより、信号処理及び制御部１１は、フォーカスレンズをレンズ位置Ｐ３に移動させて撮影行うオートフォーカス制御を行う。
【００５２】
この状態で撮影が行われるものとする。図５（ａ），（ｂ）の破線は、各顔部３１ｅ，３２ｅにおける最大コントラスト及び撮影時コントラストを示している。図５の例では、顔部３１ｅについては撮影時コントラストは、最大コントラストと略同一の値であるのに対し、顔部３２ｅについては撮影時コントラストは、最大コントラストに対し比較的大きく低下した値となっている。例えば、オートフォーカス時に比べて、人物３２が人物３１よりも比較的大きく移動した場合等において、このようなコントラストの差が生じることが考えられる。
【００５３】
ぶれ判定部１１ｄは、例えば、オートフォーカス時に求めた最大コントラストと撮影時コントラストとの差が所定の閾値よりも大きい場合には、当該画像部分（顔部）にぶれが生じているものと判定し、差が所定の閾値よりも小さい場合には、当該画像部分にぶれが生じていないものと判定する。図５の例では、顔部３１ｅにはぶれが生じていないと判定されると共に、顔部３２ｅにはぶれが生じているものと判定される。なお、上述したように、ぶれ判定部１１ｄは、撮影時コントラストが最大コントラストよりも小さい場合にぶれが生じているものと判定してもよい。
【００５４】
ぶれ判定部１１ｄは、ステップＳ１８において、撮像画像中にぶれのない画像が含まれるか否かを判定する。ぶれのない画像が含まれない場合、即ち、撮像画像中の全ての画像にぶれが生じているものと判定した場合には、ぶれ判定部１１ｄは、画像のぶれが手ぶれによるものと判定する。この場合には、レックビュー制御部１１ｅは、ステップＳ２０において、手ぶれ警告に相当するＮＧ表示を表示画面１７ｂ上のレックビュー表示中に表示させる（図示省略）。また、ぶれ判定部１１ｄは、撮像画像中にぶれのない画像が含まれる場合には、ぶれが生じていると判定した画像については、画像中の被写体の動きによってぶれが生じたものと判定する。この場合には、レックビュー制御部１１ｅは、ステップＳ１９において、ＯＫ表示及びＮＧ表示を表示画面上のレックビュー表示中の対応する画像部分の近傍に表示する。図４のように、複数の人物がダンスをしているシーンなどでは、リズム感のずれや、決めのタイミングの個人差によって、一人の人物だけが被写体ぶれ状態になっていたり、ピント外れになったりする場合があり、このような補助表示の技術があると、失敗写真をすぐに判断して、撮影方法を変えたり、再撮影したりすることができ、作品作りで有効となる。
【００５５】
図６の例は図５に対応するものであり、表示画面１７ｂ上に表示されたレックビュー表示４９の一例を示している。レックビュー表示４９には、人物３１，３２を撮像することによって得られた人物の画像３１ｆ，３２ｆが表示されている。画像３１ｆにはぶれが生じておらず、画像３２ｆにはぶれが生じている。レックビュー制御部１１ｅは、コントラスト差の判定結果によって、顔部３１ｅ近傍にはぶれが生じていないことを示すＯＫ表示を表示すると共に、顔部３２ｅ近傍にはぶれが生じてることを示すＮＧ表示を表示する。
【００５６】
なお、上記説明では、レックビュー表示時に、撮像画像中のぶれのある画像部分とぶれのない画像部分とを夫々示すＯＫ表示やＮＧ表示等を表示する例について説明した。更に、撮影時に撮像画像と共に、撮像画像各部についての最大コントラスト及び撮影時コントラストの情報を記録しておくことも可能である。この場合には、再生時において、画像各部の最大コントラストと撮影時コントラストとの比較を行うことができ、再生画像上に各画像部分のＯＫ表示、被写体ぶれ表示、手ぶれ表示等を表示させることができる。
【００５７】
このように本実施の形態においては、コントラストの最大値と撮像時のコントラストとの比較によって撮像画像中の各画像のぶれを検出し、各画像毎にぶれの状態を表示するようになっており、ユーザは一目で画像ぶれの様子を確認することができる。画像のぶれは表示画面上に表示させた画像だけでは分からないことがあるが、ぶれの状態を示す表示を各画像毎に表示させており、画像を拡大することなく、簡単にぶれの確認が可能である。画像毎にぶれの様子を表示しており、ユーザにとって極めて有効な取り直しの判断材料が容易に得られることになる。
【００５８】
図７は本発明の第２の実施の形態に採用されるフローチャートである。図７において図３と同一の手順には同一符号を付して説明を省略する。本実施の形態のハードウェア構成は第１の実施の形態と同様である。また、図８は第２の実施の形態におけるレックビュー表示の表示例を示す説明図である。
【００５９】
第１の実施の形態においては、各画像部分について、事前に調べた最大コントラストと撮影時コントラストとの比較によって画像のぶれを検出した。本実施の形態はコントラストの比較だけでなく、筐体の振動を検出することで、画像のぶれの種類を検出して、ユーザに各被写体のぶれの種類についても提示可能にしたものである。
【００６０】
本実施の形態においては、図７のステップＳ１４においてコントラストが求められると、次に、ぶれ判定部１１ｄは、検出した顔が１つであるか否かを判定する（ステップＳ３１）。撮像画像中に１つの顔だけが検出された場合には、ぶれ判定部１１ｄは、次のステップＳ３２において、当該顔部についてステップＳ１２において求めた最大コントラストよりもステップＳ１４において求めた撮影時コントラストが小さいか否か、或いはその差が所定の閾値よりも大きいか否かを判定する。ステップＳ３２の判定によって、ぶれ判定部１１ｄは、撮像画像中の顔部の画像にぶれが生じているか否かを判定する。ぶれ判定部１１ｄによってぶれが生じていないと判定された場合には、レックビュー制御部１１ｅは、ステップＳ３３において、レックビュー表示中の当該顔部近傍にＯＫ表示を表示する（ステップＳ３３）。
【００６１】
図８（ａ）はこのＯＫ表示５３ａを示している。本体部１０を収納する筐体１０ａの背面には、表示部１７の表示画面１７ｂが配設されている。表示画面１７ｂ中にはレックビュー表示５１が表示されている。レックビュー表示５１中には、１人の人物の顔部の画像５２が表示されている。レックビュー制御部１１ｅは、ぶれ判定部１１ｄの判定結果が与えられて、顔部５３ａの近傍にＯＫ表示５３ａを表示する。このＯＫ表示５３ａによって、撮影者は撮影した画像にぶれが生じていないことを確認することができる。
【００６２】
ぶれ判定部１１ｄは、ステップＳ３２において、撮像画像中の顔部の画像にぶれが生じていると判定した場合には、振動判定部１６の判定結果によって、本体部１０を収納する筐体１０ａが振動したか否かを判定する（ステップＳ３４）。ステップＳ３４において筐体１０ａが振動していたものと判定された場合には、画像のぶれは筐体１０ａの振動、即ち、手ぶれによるものと考えられる。この場合には、レックビュー制御部１１ｅは、ステップＳ３５において手ぶれＮＧ表示をレックビュー表示５１中に表示する。
【００６３】
図８（ｂ）はこの手ぶれＮＧ表示５３ｂを示している。手ぶれＮＧ表示５３ｂによって、撮像画像には手ぶれによるぶれが顔部５２に生じていることが分かる。
【００６４】
また、ステップＳ３４において筐体１０ａが振動していなかったものと判定された場合には、画像のぶれは被写体が動いたことによるものと考えられる。この場合には、レックビュー制御部１１ｅは、ステップＳ３６において顔部近傍に被写体ぶれＮＧ表示をレックビュー表示５１中に表示する。
【００６５】
図８（ｃ）はこの被写体ぶれＮＧ表示５３ｃを示している。被写体ぶれＮＧ表示５３ｃによって、撮像画像には被写体が動いたことによるぶれが顔部５２に生じていることが分かる。
【００６６】
ぶれ判定部１１ｄは、ステップＳ３１において、検出した顔が１つでないと判定した場合には、ステップＳ４１において、撮像画像中の全画像、例えば全ての顔部について、ステップＳ１２において求めた最大コントラストよりもステップＳ１４において求めた撮影時コントラストが小さいか否か、或いはその差が所定の閾値よりも大きいか否かを判定する。ステップＳ４１の判定によって、ぶれ判定部１１ｄは、撮像画像中の全ての顔部の画像にぶれが生じているか否かを判定する。
【００６７】
ぶれ判定部１１ｄは、撮像画像中の全ての顔部の画像にぶれが生じていると判定した場合には、振動判定部１６の判定結果によって、本体部１０を収納する筐体１０ａが振動したか否かを判定する。（ステップＳ４３）。ステップＳ４３において筐体１０ａが振動していたものと判定された場合には、画像のぶれは筐体１０ａの振動、即ち、手ぶれによるものと考えられる。この場合には、レックビュー制御部１１ｅは、ステップＳ４４において手ぶれＮＧ表示をレックビュー表示中に表示する。
【００６８】
図８（ｄ）はレックビュー表示５５中のこのような手ぶれＮＧ表示５８ａ，５９ａを示している。手ぶれＮＧ表示５８ａ，５９ａによって、ユーザは撮像画像に手ぶれによって顔部５６，５７にぶれが生じていることが分かる。
【００６９】
また、ステップＳ４３において筐体１０ａが振動していなかったものと判定された場合には、画像のぶれは被写体が動いたことによるものと考えられる。この場合には、レックビュー制御部１１ｅは、ステップＳ４５において顔部近傍に被写体ぶれＮＧ表示をレックビュー表示中に表示する。
【００７０】
図８（ｅ）はレックビュー表示５５中のこのような被写体ぶれＮＧ表示５８，５９ｂを示している。被写体ぶれＮＧ表示５８ｂ，５９ｂによって、ユーザは撮像画像に被写体が動いたことによって顔部５６，５７にぶれが生じていることが分かる。
【００７１】
ぶれ判定部１１ｄのステップＳ４１の判定によって、ぶれが生じていない画像が存在すると判定された場合には、レックビュー制御部１１ｅは、ぶれ判定部１１ｄの判定結果に従って、レックビュー表示中の当該顔部近傍にＯＫ表示又は被写体ぶれＮＧ表示を表示する（ステップＳ４２）。
【００７２】
図８（ｆ）はレックビュー表示５６中のこのようなＯＫ表示６４及び被写体ぶれＮＧ表示６５，６６を示している。表示画面１７ｂ中にはレックビュー表示５６が表示されている。レックビュー表示５６中には、３人の人物の顔部の画像６１〜６３が表示されている。レックビュー制御部１１ｅは、ぶれ判定部１１ｄの判定結果に基づいて、顔部６１の近傍にＯＫ表示６４を表示し、顔部６２の近傍に被写体ぶれＮＧ表示６５を表示し、顔部６３の近傍に被写体ぶれＮＧ表示６６を表示している。これらの表示６４〜６５によって、撮影者は撮影した画像に含まれる各顔部にぶれが生じているか否か、またどのような種類のぶれが生じているかを確認することができる。
【００７３】
なお、振動判定部１６は、筐体１０ａのぶれや振動を検出することから、流し撮りを行うと手ぶれと判断される可能性がある。しかし、流し撮りが成功した場合には、少なくとも１つの被写体のコントラトスは十分に高くなる。従って、流し撮り時にはステップＳ３４，Ｓ４３の判定は行われないので、流し撮り時に手ぶれＮＧ表示が表示されることはない。
【００７４】
また、本実施の形態においても、撮像画像と共に、最大コントラスト及び撮影時コントラスト並びに撮影時の筐体振動の情報を記録してもよい。この場合には、再生時において、これらの情報を元に、ＯＫ表示、手ぶれＮＧ表示及び被写体ぶれＮＧ表示等を表示させることが可能である。
【００７５】
このように本実施の形態においては、第１の実施の形態と同様の効果が得られると共に、画像のぶれの種類についても表示することができる。これにより、撮影者は、画像を拡大することなく一目で、画像のぶれが手ぶれによるものか被写体ぶれによるものかを認識することができ、取り直しするか否かの有効な判断材料を得ることができる。
【００７６】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよい。撮影機器でなくとも、このような工夫によって、ユーザが希望する画像を正確に観察できる観察装置、表示装置を提供することが可能となる。
【００７７】
また、撮影機器でなくとも、撮影の失敗判定用の表示機器にも、こうした画像の特徴を判定して、ユーザに次回撮影時の示唆や教訓やアドバイスを与える技術は重要である。ここで分析する画像ファイルに、カメラの設定情報が入っていれば、画像の特徴としてコントラストの情報を含ませる事も可能である。
【００７８】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００７９】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００８０】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストールしたり、あるいは記録媒体からコンピュータにインストールすることで、容易に本実施の形態の撮影機器を実現することができる。
【符号の説明】
【００８１】
１…撮影機器、１０…本体部、１１…信号処理及び制御部、１１ａ…表示制御部、１１ｂ…顔検出部、１１ｃ…コントラスト判定記録部、１１ｄ…ぶれ判定部、１１ｅ…レックビュー制御部、１２…撮像部、１６…振動判定部、１７…背面表示部、１７ａ…タッチパネル、２０…交換レンズ、２３…制御部。
【図１】
2015061129.tif 000003
【図２】
2015061129.tif 000004
【図３】
2015061129.tif 000005
【図４】
2015061129.tif 000006
【図５】
2015061129.tif 000007
【図６】
2015061129.tif 000008
【図７】
2015061129.tif 000009
【図８】
2015061129.tif 000010